(57)【特許請求の範囲】
【請求項１】
合成樹脂により形成され、容器（１）の口部（２）外側に装着する筒部（３）と容器（１）の内容品の通行を遮断する口壁（４）からなる蓋（５）；
前記筒部（３）の内面に形成された、前記口部（２）の外側の凹条（６）に係止する突条（７）；
前記筒部（３）の外周に形成された、先端部と該先端部に連続し周方向に延びる上端部（１２）及び下端部とを備えた弱化部（９）であって、前記下端部の後端が前記筒部（３）の下端部（８）に達して形成された弱化部（９）；
該弱化部（９）の範囲（１０）内に突出して形成された把持部（１１）であって、その上端部の後端が前記弱化部（９）の上端部（１２）に連続し、その下端部が前記弱化部（９）の下端部上に位置している把持部（１１）；
前記弱化部（９）の上端部（１２）と、前記把持部（１１）間に形成された、硬貨の押し込みにより破断される残余部（１５）であって、前記容器（１）の口部（２）の凹条（６）と空隙（１６）を介して対向し、その上下方向の巾（１３）が前記硬貨の巾（１４）よりも大きく形成された残余部（１５）；
から成ることを特徴とする容器とその蓋。
【請求項２】
前記容器（１）の口部（２）は、凹条（６）の下方に傾斜部（１７）を有する環状の突起（１８）を有し、該突起（１８）は把持部（１１）に接して形成されている請求項１記載の容器とその蓋。
【請求項３】
前記筒部（３）の下端部（８）は半径方向内側に突出する突出部（１９）を有し、該突出部（１９）は口部（２）外側の環状の突起（１８）の下部に、上下方向において係止させられている請求項１、又は、２記載の容器とその蓋。
【請求項４】
前記蓋（５）は、中栓として形成され、口壁（４）は裂切り用の破断ライン（２０）を有し、該破断ライン（２０）の内側でかつ上部に裂取部材（２１）を有し、口部（２）の内面に圧接する内筒（２２）を有し、更に中栓上に装着する外蓋（２３）を有している請求項１、２、又は、３記載の容器とその蓋。
【発明の詳細な説明】
【０００１】
【発明の属する技術分野】
この発明は瓶等の容器の口部に打栓形式により装着し、その容器のリサイクルのための回収に際して、きわめて容易に同容器から外し取ることのできる容器とその蓋に関する。
【０００２】
従来から打栓形式により容器に装着する蓋において、容器の回収の際に容易に容器から外し取ることのできる蓋が提供されている。なおこの発明においては蓋とは中栓も含むものである。そしてそのような蓋の一種として図７、及び図８に示すような形式の蓋５がある。この蓋５は合成樹脂製の中栓であり、外蓋２３を有している。この蓋５は、容器の口部外周に装着する筒部３と、容器の内容品の通行を遮断する口壁４とから成り、該口壁４には、無端状の裂溝２０が形成され、かつ図には現れないがプルリング等の裂取部材が設けられており、これを引っ張ることにより通口が形成されるようになっている。
又、筒部３の内側には容器口部の外周の凹条に係止する突条７が形成されている。
そして前記筒部３の一部には、図７に示すように周方向の弱化ライン５１が形成されており、この弱化ライン５１の端部５２に把持片５３が外側に突出して設けられている。容器回収の際はこの把持片５３を外方に引っ張り、前記弱化ライン５１を裂切るのである。そうすると筒部３と図示しない容器口部との圧接が弱められ、その蓋５が容器の口部から外れ易くなるため、容易に外し取れるのである。
【０００３】
【発明が解決しようとする課題】
しかし前記従来例に示す容器とその蓋は次に述べるような難点を有している。それは消費者等が使用に際してまず、蓋５の外側にあって目につく把持片５３を引っ張ってしまうことである。これは誤操作であるが、一般に醤油、サラダ油、ソース、酒類等の瓶詰商品にあっては、キャップの取扱い説明書等は添付されていないのが普通であるため、前記のような誤操作が起るのである。
そして前記把持片５３を引っ張って弱化ライン５１が裂切られてしまうと、この蓋５は、その後前記裂取部材を用いて通口を形成し、使用する際に容器から外れてしまう恐れを有する。
又、他の問題として、蓋５成型後の取扱いの際に把持片５３相互が係合し合ってしまい、その後の機械的取り扱いができなくなるのである。このため互いに係合し合ってしまった把持片５３は手作業により外し取らなければならない。
この発明はこのように問題を解決するためになされたもので、その目的は打栓形式で蓋を容器に装着する容器とその蓋において、前記のように消費者等が使用に際して、容器から取り外しを容易にするための把持片５３等を引っ張ってしまうという誤操作をなくすことができ、しかも容器の回収の際はその容器からきわめて容易に取り外すことができる容器とその蓋を提供することである。
また他の目的は前記のような、把持片５３等が相互に係合し合ってしまい、その後の機械的取扱いのできなくなることのない、容器とその蓋を提供することである。
【０００４】
【課題を解決するための手段】
前記目的を達成するこの発明について述べると、それは、
合成樹脂により形成され、容器１の口部２外側に装着する筒部３と容器１の内容品の通行を遮断する口壁４からなる蓋５；前記筒部３の内面に形成された、前記口部２の外側の凹条６に係止する突条７；前記筒部３の外周に形成された、先端部と該先端部に連続し周方向に延びる上端部１２及び下端部とを備えた弱化部９であって、前記下端部の後端が前記筒部３の下端部８に達して形成された弱化部９；該弱化部９の範囲１０内に突出して形成された把持部１１であって、その上端部の後端が前記弱化部９の上端部１２に連続し、その下端部が前記弱化部９の下端部上に位置している把持部１１；前記弱化部９の上端部１２と、前記把持部１１間に形成された、硬貨の押し込みにより破断される残余部１５であって、前記容器１の口部２の凹条６と空隙１６を介して対向し、その上下方向の巾１３が前記硬貨の巾１４よりも大きく形成された残余部１５；から成ることを特徴とする容器、である。
【０００５】
【発明の実施の形態】
この発明の実施の形態について述べるとそれは次の通りである。
合成樹脂により形成され、容器１の口部２外側に装着する筒部３と容器１の内容品の通行を遮断する口壁４からなる蓋５と、前記筒部３の内面に形成された、前記口部２の外側の凹条６に係止する突条７と、前記筒部３の外周に、かつ筒部３の下端部８に達して形成された破断し易い弱化部９と、該弱化部９の範囲１０内に突出して形成された、前記筒部３に一体につながる把持部１１と、前記弱化部９の上端部１２と、前記把持部１１間に形成された、上下方向の巾１３が硬貨の巾１４よりも大きく形成された弱化部９の残余部１５と、から成ることを特徴とする容器とその蓋である。
この発明は前記のように構成されたことにより、容器１回収の際、容器１から蓋５を外し取る場合弱化部９の残余部１５の外側から硬貨を当てがい、これを内方に押し込むことにより前記残余部１５を破断し、それにより把持部１１を把持することができ、該把持部１１を把持して前記弱化部９を破断する。そうすると筒部３と容器１の口部２との圧接は緩み、蓋５を前記口部２から外し易くなるら容易に外し取ることができる。
しかも前記従来例のように把持片５３を蓋の外側に突出して設けていないため、消費者等が誤って把持片５３を引っ張ってしまうような誤操作を防止することができる。
又硬貨は一般に身近にあるものであるから、特別な器具を要することなくきわめて容易に把持部１１を出現させることができる。
更に前記従来例に述べたような把持片５３を外側に突出して設けてなく、把持部１１は筒部３と同一面を形成しているため、前記従来例のように把持片５３相互が係合し合ってしまって、その後の機械的取扱いが困難になることを、防止することができる。
次にこの発明の他の実施の形態について述べるとそれは、容器１の口部２は残余部１５との間に空隙１６を有している前記容器とその蓋である。
この発明は前記のように構成されたことにより、硬貨を残余部１５に深く長く押し込むことができ、把持部１１の出現を容易に、かつ確実にすることができる。又他の実施の形態は、容器１の口部２は凹条６の下方に傾斜部１７を有する環状の突起１８を有し、該突起１８は把持部１１に接して位置させられている前記容器とその蓋である。
この発明は前記のように構成されたことにより、前記残余部１５に硬貨を押し込む際に、前記突起１８に接する把持部１１において、前記硬貨押し込みの反力が生じるから、残余部１５の変形を少くでき、従って前記押し込みによる残余部１５の破断を容易にすることができる。
又、更に他の実施の形態は、筒部３の下端部８は半径方向内側に突出する突出部１９を有し、該突出部１９は口部２外側の環状の突起１８の下部に、上下方向において係止させられている前記容器とその蓋である。
この発明は前記のように構成されたことにより、前記残余部１５に硬貨を押し込む際に、残余部１５から下方の筒部３は上方に引かれるが、筒部３の下端部８は内側に突出する突出部１９を有し、該突出部１９が容器の口部２外側の環状の突起１８の下部に、上下方向に係止させられているため上方に移動できず、このため前記残余部１５は大きな変形がなく、硬貨により直ちに容易に破断することができる。
次に更に他の実施の形態は、蓋体５は中栓として形成され、口壁４は裂切り用の破断ライン２０を有し、該破断ライン２０の内側でかつ上部に裂取部材２１を有し、口部２の内面に圧接する内筒２２を有し、更に中栓上に装着する外蓋２３を有している前記容器とその蓋である。
この発明は前記のように構成されたことにより、容器から取り外しが容易にでき、残余部１５を誤って破断してしまうことを防止でき、又、前記従来例のように把持片５５が相互に係合し合ってしまって、その後の機械的取扱いの困難となることのない、中栓を提供することができる。
【０００６】
【実施例】
図面において、１は容器であり、その一例として瓶が示されている。２はその口部である。５は合成樹脂製の蓋体であり、一例として中栓が示されている。
３は筒部、４は口壁を示す。そして該口壁４に破断ライン２０が形成され、この破断ライン２０を裂切ることにより、そこに通口が形成されるようになっている。２１はプルリング状の裂取部材を示す。このような構成は図７、図８に示す蓋５も同様である。
なおこの発明において、蓋５は前記のように容器の内容品の通行を遮断する口壁４に、通口を形成するように構成されているもの、又はすでに通口を形成されているもの、その他各種の形式があるが、打栓形式で蓋体となっているものすべてを含むものである。
次に６前記口部２外側に形成された凹条であり、これに前記筒部３の内側の突条７が係止させられている。
９は前記筒部３の外周に形成された破断し易い薄肉の弱化部であり、その下部は図２に示すように筒部３の下端部８に達している。
又前記弱化部９の範囲１０内に突出して、前記筒部３に一体につながる把持部１１が設けられている。そして前記弱化部９の上端部１２と前記把持部１１間には弱化部９の残余部１５が形成されてあり、この残余部１５の巾１３は図２に示すように硬貨、一例として１０円銅貨の巾１４より大きく形成されている。なお硬貨は１００円、５００円、５円等現行の通貨なら差支えなく形成される。このように構成して身近にある硬貨により前記残余部１５が容易に破断できるのである。従って、前記従来例に示すような把持片５３の必要はなく、かつ特殊な器具を必要とせず、一般的に身近にある硬貨によって把持部１１を出現させることができる。
なお、消費者等が使用する場合は裂取部材２１を上方に引っ張って口壁４に通口を形成して使用するのである。
次に前記口部２の外側には、凹条６の下方に、傾斜部１７を有する環状の突起１８が形成され、該突起１８は図１に示すように把持部１１に接して形成されている。
次に筒部３の下端部８は内側に突出する突出部１９を有しており、該突出部１９は前記環状の突起１８の下部に、係止させられている。又前記蓋体５は、この実施例においては図１に示すように中栓として形成され、口壁４に無端状の裂溝として破断ライン２０が形成され、その内側でかつ上部にプルリング状の裂取部材２１が設けられ、又内筒２２が設けられ、更に中栓の上部に外蓋２３が装着させられている。２４は注筒を示す。この蓋５を容器１の口部２から外し取る場合は図４に示すように硬貨２５を前記残余部１５に押し込み、破断させ、そうして次に把持部１１を把持し、外方にかつ周方向に前記弱化部９を裂切ると、筒部３はその下端部８を含めて前記口部との圧接が緩むため前記口部から外れ易くなる。こうして容易に外し取ることができる。
なお前記把持部１１は図１、図２に示す実施例の外、図５、図６に示すように各種のものが形成された。
図５に示す蓋５の把持部１１は、その先端部の弱化部９も破断されるため、いわゆるめくり易く、きわめて容易に把持することができる。又図６に示す蓋５の把持部１１は、上下の巾が大きく形成されたことにより、把持し易く、引っ張りの際に滑らずに、把持を確実にすることができる。
【０００７】
【発明の効果】
請求項１の発明は前記のように構成されたことにより、容器１の回収の際、容器から取る場合弱化部９の残余部１５の外側から硬貨を当てがい、これを内方に押し込むことにより前記残余部１５を破断し、それにより把持部１１を把持することができ、該把持部１１を把持して前記弱化部９を破断する。そうすると筒部３と容器１の口部２との圧接は緩み、蓋５を前記口部２から外し易くなるから容易に外し取ることができる。しかも前記従来例のように把持片５３を蓋の外側に突出して設けてないため、消費者等が誤って把持片５３を引っ張ってしまう誤操作を防止することができる。又硬貨は一般に身近にあるものであるから、特別な器具を要することなくきわめて容易に把持部１１を出現させることができる。更に、前記従来例に述べたような把持片５３を外側に突出して設けてなく、把持部１１は筒部３と同一面を形成しているため、前記従来例のように把持片５３相互が係合し合ってしまい、その後の機械的取扱いが困難になることを防止することができる。この発明は前記のように構成されたことにより、硬貨を残余部１５に深く押し込むことができ、把持部１１の出現を容易にかつ確実にすることができる。
請求項２の発明は、前記のように構成されたことにより、前記残余部１５に硬貨を押し込む際に、前記突起１８に接する把持部１１において、前記硬貨押し込みの反力が生じるから、前記押し込みによる変形を防止でき、残余部１５の破断を容易にすることができる。
請求項３の発明は前記のように構成されたことにより、前記残余部１５に硬貨を押し込む際に残余部１５から下方の筒部３は上方に引かれるが、筒部３の下端部８は内側に突出する突出部１９を有し、該突出部１９が、容器の口部２外側の環状の突起１８の下部に、上下方向に係止させられているため、上方に移動できず、このため前記残余部１５は大きく変形することができず、従って硬貨により直ちに容易に破断することができる。
請求項４の発明は前記のように構成されたことにより、身近にある硬貨を用いて、特別な器具を必要とすることなく容器から取り外しが容易にでき、残余部１５を誤って破断してしまうことを防止でき、又、前記従来例のように把持片５３が相互に係合し合ってしまって、その後の機械的取扱いの困難となることのない、中栓を提供することができる。
【図面の簡単な説明】
【図１】この発明の実施例を示し、容器とその蓋の一部断面図である。
【図２】図１に示す蓋の正面図である。
【図３】図２に示す蓋の下面図である。
【図４】図１に示す容器とその蓋の、容器から蓋を外しとる場合の作用の説明図である。
【図５】この発明の他の実施例を示し図２に相当する図である。
【図６】この発明の更に他の実施例を示し図２に相当する図である
【図７】従来の容器とその蓋における蓋の正面図である。
【図８】図７に示す蓋の下面図である。
【符号の説明】
１        容器
２        口部
３        筒部
４        口壁
５        蓋
６        凹条
７        突条
８        下端部
９        弱化部
１０        範囲
１１        把持部
１２        上端部
１３        巾
１４        硬貨の巾
１５        残余部
１６        空隙
１７        傾斜部
１８        突起
１９        突出部
２０        破断ライン
２１        裂取部材
２２        内筒
２３        外蓋
【図１】
0003796673.tif 000002
【図２】
0003796673.tif 000003
【図３】
0003796673.tif 000004
【図４】
0003796673.tif 000005
【図５】
0003796673.tif 000006
【図６】
0003796673.tif 000007
【図７】
0003796673.tif 000008
【図８】
0003796673.tif 000009